(57)【要約】【課題】複数言語のＯＳＤデータ搭載による、画像表示装置の記憶容量の増大を防止する。【解決手段】プロジェクター１は、初期設定プログラムＰ１、圧縮されたメインプログラムＰ２、ＯＳＤ言語データＬ１〜Ｌ８を格納する記憶手段２１を備え、初回起動時に選択した言語以外のＯＳＤ言語データが格納される記憶領域２１２に、メインプログラムＰ２を展開する。【選択図】図２
2013109053.tif 000002
【特許請求の範囲】
【請求項１】
入力する画像情報に応じた画像を表示手段に表示する画像表示装置であって、
複数の言語ごとのＯＳＤデータから構成されるＯＳＤデータ群、及び当該画像表示装置を制御し、一部が圧縮された状態のプログラムを記憶領域に格納する記憶手段と、
当該画像表示装置の初回起動時に、前記ＯＳＤデータ群のうち使用する言語の前記ＯＳＤデータを選択し、設定する言語設定手段と、
前記記憶手段のうち、前記言語設定手段によって設定された前記言語のＯＳＤデータ以外のＯＳＤデータの記憶領域に、前記プログラムを展開する制御手段と、
を備えたことを特徴とする、画像表示装置。
【請求項２】
請求項１に記載の画像表示装置であって、
前記制御手段は、前記プログラムを展開した後の前記プログラムが格納されていた記憶領域を、当該プロジェクターの各種データ保存領域に設定する、
ことを特徴とする、画像表示装置。
【請求項３】
請求項１に記載の画像表示装置であって、
前記制御手段は、前記選択された前記言語のＯＳＤデータを前記ＯＳＤデータ群の先頭の記憶領域に移動し、前記選択された言語のＯＳＤデータの次の記憶領域から前記プログラムを展開する、
ことを特徴とする、画像表示装置。
【請求項４】
入力する画像情報に応じた画像を表示する表示手段を有し、
複数の言語ごとのＯＳＤデータ群、及び当該画像表示装置を制御し、一部が圧縮された状態のプログラムを記憶領域に格納する記憶手段と、
を備えた画像表示装置の制御方法であって、
当該画像表示装置が最初に起動されたか否かを判断する初回起動検出ステップと、
前記初回起動検出ステップによって、最初に起動されたと判断された場合に、前記ＯＳＤデータ群のうち使用する言語のＯＳＤデータを選択し、設定する使用言語設定ステップと、
前記記憶手段のうち、前記使用言語設定ステップによって設定された、前記言語のＯＳＤデータ以外のＯＳＤデータの記憶領域に、前記プログラムを展開するプログラム展開ステップと、
を有することを特徴とする、画像表示装置の制御方法。
【発明の詳細な説明】
【技術分野】
【０００１】
本発明は、画像表示装置、及び画像表示装置の制御方法に関する。
【背景技術】
【０００２】
画像表示装置（例えば、プロジェクター）において、複数言語のＯＳＤ（オンスクリーンディスプレイ）画像データを搭載し、多くの国や地域で使用できるようにしたものが知られている。
しかし、このような画像表示装置では、初回使用時に使用する言語を設定してしまえば、以後、他の言語のＯＳＤデータを使うことはほとんどない。つまり、使われない多くの言語ＯＳＤデータを格納するために大容量のメモリーを搭載する必要があり、コストアップするという問題があった。このため、特許文献１のように、未使用のＯＳＤデータを圧縮して保存するプロジェクターが開示されている。
【先行技術文献】
【特許文献】
【０００３】
【特許文献１】特開２００８−２５６９６５号公報
【発明の概要】
【発明が解決しようとする課題】
【０００４】
しかし、搭載する言語数が増えると、保存するのに必要なデータ領域も増えてしまうので、特許文献１のように、圧縮して保存したとしても、使われないＯＳＤデータのために大きなメモリーが必要という問題は解決されなかった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、入力する画像情報に応じた画像を表示手段に表示する画像表示装置であって、複数の言語ごとのＯＳＤデータから構成されるＯＳＤデータ群、及び当該画像表示装置を制御し、一部が圧縮された状態のプログラムを記憶領域に格納する記憶手段と、当該画像表示装置の初回起動時に、前記ＯＳＤデータ群のうち使用する言語の前記ＯＳＤデータを選択し、設定する言語設定手段と、前記記憶手段のうち、前記言語設定手段によって設定された前記言語のＯＳＤデータ以外のＯＳＤデータの記憶領域に、前記プログラムを展開する制御手段と、を備えたことを特徴とする。
【０００７】
本適用例によれば、プログラムの一部を圧縮しておき、初回起動時にＯＳＤデータのうち、使用するＯＳＤデータ以外の記憶領域に展開されるので、出荷時に予めプログラムを圧縮し、空いた記憶領域に複数のＯＳＤデータを格納しておくことができる。これにより、初回起動時に複数のＯＳＤデータを選択可能にしながら、メモリー容量の増大を防止することが可能となる。
【０００８】
［適用例２］上記適用例に記載の画像表示装置において、前記制御手段は、前記プログラムを展開した後の前記プログラムが格納されていた記憶領域を、当該プロジェクターの各種データ保存領域に設定する、ことを特徴とする。
【０００９】
本適用例によれば、圧縮されたプログラムが格納されていた記憶領域を、各種データ保存用に設定することで、別途データ保存領域を備える必要がなく、メモリーを効率的に利用し、メモリー容量の増大を防止することが可能となる。
【００１０】
［適用例３］上記適用例に記載の画像表示装置において、前記制御手段は、前記選択された前記言語のＯＳＤデータを前記ＯＳＤデータ群の先頭の記憶領域に移動し、前記選択された言語のＯＳＤデータの次の記憶領域から前記プログラムを展開する、ことを特徴とする。
【００１１】
本適用例によれば、使用するＯＳＤデータを、ＯＳＤデータ群の先頭の記憶領域に移動し、使用するＯＳＤデータの次の記憶領域にプログラムを展開するので、使用するＯＳＤデータをＯＳＤデータ群と別に持つ必要がなく、メモリー容量の増大を抑えることが可能となる。また、プログラムを連続した記憶領域に展開することができるので、記憶領域を効率的に利用し、プログラムを実行しやすくすることが可能となる。
【００１２】
［適用例４］本適用例に係る画像表示装置の制御方法は、入力する画像情報に応じた画像を表示する表示手段を有し、複数の言語ごとのＯＳＤデータ群、及び当該画像表示装置を制御し、一部が圧縮された状態のプログラムを記憶領域に格納する記憶手段と、を備えた画像表示装置の制御方法であって、当該画像表示装置が最初に起動されたか否かを判断する初回起動検出ステップと、前記初回起動検出ステップによって、最初に起動されたと判断された場合に、前記ＯＳＤデータ群のうち使用する言語のＯＳＤデータを選択し、設定する使用言語設定ステップと、前記記憶手段のうち、前記使用言語設定ステップによって設定された、前記言語のＯＳＤデータ以外のＯＳＤデータの記憶領域に、前記プログラムを展開するプログラム展開ステップと、を有することを特徴とする。
【００１３】
本適用例によれば、プログラムの一部を圧縮しておき、初回起動時にＯＳＤデータのうち、使用するＯＳＤデータ以外の記憶領域に展開されるので、出荷時に予めプログラムを圧縮し、空いた記憶領域に複数のＯＳＤデータを格納しておくことができる。これにより、初回起動時に複数のＯＳＤデータを選択可能にしながら、メモリー容量の増大を防止することが可能となる。
【図面の簡単な説明】
【００１４】
【図１】プロジェクターの回路構成を示すブロック図。
【図２】プロジェクターの記憶手段のメモリーマップを示す図であり、（ａ）は初回起動直後、（ｂ）はメインプログラム展開後のメモリーマップを示す。
【図３】プロジェクターの起動時の動作を示すフローチャート。
【図４】起動時のＯＳＤ言語データの言語選択画像。
【発明を実施するための形態】
【００１５】
以下、添付図面を参照して本発明にかかる画像表示装置の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１６】
（第１実施形態）
図１は、本実施形態のプロジェクターの回路構成を示すブロック図である。
図１に示すように、プロジェクター１は、画像投写手段１０、ＯＳＤ処理手段１６、画像信号処理手段１７、画像信号入力手段１８、制御手段２０、記憶手段２１、入力操作手段２３、光源制御手段２５、電源部３１等で構成されており、これらは図示しない筐体の内部に収容されている。
【００１７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。画像投写手段１０が表示手段に相当する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２０】
本実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２１】
制御手段２０は、図示しないＣＰＵ（Central Processing Unit）や、各種データ等の一時記憶に用いられるＲＡＭ（Random Access Memory）等を備え、記憶手段２１に記憶されている、初期設定プログラムＰ１、及びメインプログラムＰ２（図２に示す）に従って動作することによりプロジェクター１の動作を統括制御する。つまり、制御手段２０は、記憶手段２１とともにコンピューターとして機能する。また、制御手段２０は、言語設定手段としても動作する。
【００２２】
記憶手段２１は、フラッシュメモリーやＦｅＲＡＭ（Ferroelectric RAM：強誘電体メモリー）等の書き換え可能な不揮発性のメモリーにより構成されている。プロジェクター１の動作を制御するための、プログラムとしての初期設定プログラムＰ１、及びメインプログラムＰ２や、プロジェクター１の動作条件等を規定する各種設定データ、メニュー画像やメッセージ画像を表示するためのＯＳＤ画像データ、複数のＯＳＤデータとしてのＯＳＤ言語データＬ１〜Ｌ８、保存データＤ１等が記憶されている。
記憶手段２１のメモリーマップを、図２を用いて説明する。
【００２３】
図２は記憶手段２１のメモリーマップを示す図であり、図２（ａ）は初回起動直後、図２（ｂ）はメインプログラム展開後のメモリーマップを示す
記憶手段２１は、記憶領域２１１〜２１４で構成される。
【００２４】
図２（ａ）に示すように、プロジェクター１が起動した初回起動直後において、記憶領域２１１、及び２１２にはプロジェクター１が動作時に使用されるＯＳＤ言語データＬ１〜Ｌ８が格納され、記憶領域２１１にはＯＳＤ言語データＬ１が格納されている。
記憶領域２１３には、メインプログラムＰ２が、圧縮された状態で格納されている。
記憶領域２１４には初期設定プログラムＰ１が格納されている。
【００２５】
初期設定プログラムＰ１は、プロジェクター１が起動したときに最初に動作するプログラムであり、初回起動か否かの判定処理を行い、初回起動であったならば、ＯＳＤ言語データＬ１〜Ｌ８のうち、使用するＯＳＤ言語データを選択する処理、圧縮されたメインプログラムＰ２を展開する処理、などを行う。
具体的には、初期設定プログラムＰ１は、ＯＳＤ言語データＬ１〜Ｌ８から、使用するＯＳＤ言語データを選択し、選択したＯＳＤ言語データを記憶領域２１１に移動し、記憶領域２１３に圧縮されて格納されていたメインプログラムＰ２を記憶領域２１２に展開する。つまり、記憶領域２１１に選択したＯＳＤ言語データを設定し、記憶領域２１２に格納されていたＯＳＤ言語データＬ２〜Ｌ８は、メインプログラムＰ２によって上書きされる。なお、選択したＯＳＤ言語データが、初期状態と同じＯＳＤ言語データＬ１のときは記憶領域２１１への移動処理は行わない。
【００２６】
メインプログラムＰ２は初期設定プログラムＰ１の次に動作するプログラムであり、プロジェクター１の制御全般を行う。
上記の初期設定プログラムＰ１起動後の処理終了後、または初期設定プログラムＰ１が起動時に初回起動ではないと判断した場合は、メインプログラムＰ２が動作する。
【００２７】
図２（ｂ）はメインプログラムＰ２が展開された後の記憶手段２１のメモリーマップを示し、例えば、初期設定プログラムＰ１により、使用するＯＳＤ言語データとしてＯＳＤ言語データＬ４が選択されたときの状態を示す。
図２（ｂ）に示すように、メインプログラムＰ２が展開された後には、ＯＳＤ言語データＬ１〜Ｌ８のうち、初期設定プログラムＰ１によって選択されたＯＳＤ言語データＬ４が、記憶領域２１１に移動し、メインプログラムＰ２が、記憶領域２１２に展開されている。
メインプログラムＰ２が格納されていた記憶領域２１３は、保存データＤ１などの各種データ保存領域として新たに設定される。
【００２８】
図１に戻って、入力操作手段２３は、プロジェクター１が、ユーザーからの入力操作を受け付けるものである。
入力操作手段２３は、ユーザーがプロジェクター１に対して各種指示を行うための複数の操作キー（図示省略）を備えており、プロジェクター１の筐体外面に備えられる本体キー、および遠隔操作で入力操作を行うリモートコントローラー（リモコン）で構成される。
【００２９】
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３０】
ユーザーが入力操作手段２３の各種操作キーを操作すると、入力操作手段２３は、ユーザーの操作内容に応じた操作信号を制御手段２０に出力する。リモートコントローラーは、ユーザーの操作内容に応じた赤外線等の操作信号を発し、リモコン信号受信手段がこれを受信して制御情報として制御手段２０に伝達する。
【００３１】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。また、画像信号入力手段１８は、図示しない無線信号受信手段を備え、無線信号受信手段を介して外部機器と無線通信（電波通信、光無線通信など）することによって画像情報を入力する構成としてもよい。
【００３２】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、記憶手段２１の記憶領域２１１に格納される、ＯＳＤ画像を形成するための図形やフォント等を表すＯＳＤ画像情報（ＯＳＤ言語データ）を参照する。
制御手段２０が、ＯＳＤ画像の重畳表示を指示すると、ＯＳＤ処理手段１６は、必要なＯＳＤ画像情報を記憶領域２１１から読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３４】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３５】
光源制御手段２５は、制御手段２０の指示に基づいて、光源１１に対する電力の供給と停止とを制御し、光源１１の点灯、及び消灯を切り替える。
【００３６】
電源部３１には、電源端子３０を介してＡＣ１００Ｖ等の電力が外部から供給される。電源部３１は、供給された電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３７】
次に、本実施形態のプロジェクター１の動作を図３のフローチャートを用いて説明する。
【００３８】
図３に示すように、プロジェクター１がスタンバイ状態において、入力操作手段２３への電源オン操作を検出すると（ステップＳ１０１）、初期設定プログラムＰ１が起動し（ステップＳ１０２）、ステップＳ１０３へ遷移する。
【００３９】
ステップＳ１０３において制御手段２０は、光源制御手段２５によって光源１１を点灯させ、ステップＳ１０４に遷移する。
【００４０】
ステップＳ１０４において制御手段２０は、記憶領域２１２にメインプログラムＰ２が展開済みか否かを調べる（記憶領域２１２の格納データヘッダーなどにより、ＯＳＤ言語データかプログラムかを判定する）。メインプログラムＰ２が展開済みの場合（ステップＳ１０４：Ｙ）、ステップＳ１１０に遷移する。メインプログラムＰ２が展開済みでない場合、即ち記憶領域２１２にＯＳＤ言語データＬ２〜Ｌ８が入っている場合、ステップＳ１０５に遷移する。ステップＳ１０４が初回起動検出ステップに相当する。
【００４１】
ステップＳ１０５において制御手段２０は、複数の言語ごとのＯＳＤ言語データＬ１〜Ｌ８のうち、使用するＯＳＤ言語データの言語を選択し設定する。具体的には図４に示すような選択画像Ｍ１を表示し、入力操作手段２３のカーソルキー、及び決定キー操作により複数の言語から使用する言語を選択し設定する。ステップＳ１０５が使用言語設定ステップに相当する。
次にステップＳ１０６に遷移する。
【００４２】
ステップＳ１０６において制御手段２０は、ステップＳ１０５において選択したＯＳＤ言語データがＬ１か否かを調べる。選択したＯＳＤ言語データがＬ１の場合（ステップＳ１０６：Ｙ）、ステップＳ１０８に遷移する。選択したＯＳＤ言語データがＬ１ではない場合（ステップＳ１０６：Ｎ）、ステップＳ１０７に遷移する。
【００４３】
ステップＳ１０７において制御手段２０は、ステップＳ１０５において選択したＯＳＤ言語データを記憶領域２１２から記憶領域２１１へ移動する。次にステップＳ１０８に遷移する。
【００４４】
ステップＳ１０８において制御手段２０は、記憶領域２１３内の、圧縮されたメインプログラムＰ２を記憶領域２１２に展開する。これにより、記憶領域２１２内のＯＳＤ言語データＬ２〜Ｌ８が上書きされる。ステップＳ１０７、及びステップＳ１０８がプログラム展開ステップに相当する。
次にステップＳ１０９に遷移する。
【００４５】
ステップＳ１０９において制御手段２０は、記憶領域２１３を保存データＤ１用に設定を行い、ステップＳ１１０に遷移する。
【００４６】
ステップＳ１１０において、初期設定プログラムＰ１の動作を終了し、メインプログラムＰ２の動作を開始する。
【００４７】
以上説明したように、本実施形態のプロジェクター１によれば、プログラムの一部となるメインプログラムＰ２を圧縮して記憶領域２１３に格納しておき、初回起動時にＯＳＤ言語データのうち、使用するＯＳＤ言語データが格納される記憶領域２１１以外の記憶領域２１２に展開されるので、出荷時に予めメインプログラムＰ２を圧縮し、空いた記憶領域２１２に複数のＯＳＤ言語データを格納しておくことができる。これにより、初回起動時に複数のＯＳＤ言語データを選択可能にしながら、メモリー容量の増大を防止することが可能となる。
【００４８】
また、圧縮されたプログラムが格納されていた記憶領域を、各種データ保存用に設定することで、別途データ保存領域を備える必要がなく、メモリーを効率的に利用し、メモリーサイズの拡大を防止することが可能となる。
【００４９】
また、使用するＯＳＤ言語データを、ＯＳＤデータ群の先頭の記憶領域２１１に移動し、使用するＯＳＤ言語データの次の記憶領域２１２にメインプログラムＰ２を展開するので、使用するＯＳＤ言語データをＯＳＤデータ群と別に持つ必要がなく、データサイズを抑えることが可能となる。また、メインプログラムＰ２を連続した記憶領域２１２に展開することができるので、記憶領域を効率的に利用し、メインプログラムをＰ２実行しやすくすることが可能となる。
【００５０】
また、上記実施形態は、以下のように変更してもよい。
（変形例１）
上記実施形態では、ＯＳＤ言語データ選択のために、選択画像Ｍ１を表示しているが、画像を表示せずに、筐体上のＬＥＤ表示と特定キー操作などで選択するようにしてもよい。これにより、画像表示処理を初期設定プログラムＰ１内でなく、圧縮されるメインプログラムＰ２内に置くことができるので、プログラムが占めるメモリーサイズを小さくすることが可能となる。
【符号の説明】
【００５１】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１１〜２１４…記憶領域、２５…光源制御手段、２３…入力操作手段。
【図１】
2013109053.tif 000003
【図２】
2013109053.tif 000004
【図３】
2013109053.tif 000005
【図４】
2013109053.tif 000006